(57)【要約】  【課題】レイアウトの選択自由性と使い勝手とに優れた机システムを提供する。  【手段】２つの机１，2 を備えており、両机１，２は、単体での使用と、第１机１の前面に第２机２の一側端部を当接させて平面視Ｌ形の姿勢での使用とが選択可能である。各机１，２の脚７は幅狭の支柱部８の下端に水平杆１０をボルト９で結した構造であり、第２机２における右脚７では、長短２本の水平杆１０を用意している。両机１，２を独立して使用する場合は長い水平杆１０を使用して短い水平杆１０は天板５の下面に固定しておき、両机１，２を平面視Ｌ形に配置する場合は短い水平杆１０を支柱部８に固定して、長い水平杆１０で両机１，２の天板４，５を締結している。【選択図】      図３
2006095060.tif 000002
【特許請求の範囲】
【請求項１】
天板の一側端部と他側端部とをそれぞれ脚で支持して成る少なくとも２つの机を有しており、これら２つの机は、独立して使用することと、一方の机における天板の前端面に他方の机における天板の一側端部を当てた平面視Ｌ形又はＴ形の姿勢に配置した使用とが選択可能となっており、平面視Ｌ形又はＴ形に配置した使用においては両机の天板が連結具で連結されるようになっている机システムであって、
前記他方の机における左右脚のうち天板の一側端部を支持する一方の脚は、天板の後部寄りに位置して上下に延びる支柱部を備えており、この支柱部の下端面に、当該支柱部の前面から手前側に長く延びる長い長さの水平杆と、支柱部の前後幅と同じ程度の前後長さか支柱部からの前向き突出寸法が小さい短い長さの水平杆とが選択してボルトで締結可能になっている、
机システム。
【請求項２】
前記連結具は長さの長い水平杆が兼用しており、他方の机における一方の脚の支柱部に短い水平杆を締結して両机を平面視Ｌ形又はＴ形に配置した状態で、長い水平杆は両机の天板の下面に跨がるように配置して両天板にボルトで固定されることが可能になっている、
請求項１に記載した机システム。
【請求項３】
天板の一側端部と他側端部とをそれぞれ脚で支持して成る少なくとも２つの机を有しており、これら２つの机は、独立して使用することと、一方の机と他方の机との天板同士を連結して使用することとが選択可能となっている机システムであって、
前記両机の各脚のうち少なくとも１つの脚は、上下に延びる支柱部の下端面に、当該支柱部の前面から手前側に長く延びる長い長さの水平杆と、支柱部の前後幅と同じ程度の前後長さか支柱部からの前向き突出寸法が小さい短い長さの水平杆とが選択してボルトで締結可能になっており、支柱部の下面に固定していない水平杆で天板同士を連結することが可能になっている、
机システム。
【請求項４】
請求項２又は３に記載した机システムを構成する机であって、長い長さの水平杆を支柱部に締結した状態で短い長さの水平杆は、天板その他机を構成する部材に取付けられている、
机システムに使用される机。
【発明の詳細な説明】
【技術分野】
【０００１】
本願発明は、複数の机（単位机）を組み合わせて成る机システム（机装置と言っても良い）及びこれに使用される単体の机に関するものである。
【背景技術】
【０００２】
近年、机（机装置）に様々の形態が提案されている。その一例として、天板を平面視Ｌ形に形成したものがある。この机は、例えば筆記作業や読書等の作業とパソコン操作やワープロ操作等の作業とをエリアを変えて行えるため、使い勝手がよい。このＬ形天板を有する机において、一般に、背面に目隠し用や棚支持用の背面パネルが固定されている。また、間仕切にＬ形天板を取付けてなる机装置も多用されている。そして、従来のＬ形天板付き机において、天板は１枚板で構成したものと２枚で構成したものとがある。
【０００３】
他方、特許文献１には、主机の側部に補助机を配置することによって全体として平面視Ｌ字状と成した机装置が開示されており、この机装置では、補助机の天板は主机の側面に突設したブラケットにねじで固定されており、かつ、補助机の天板は前後２本の棒状脚を備えている。
【０００４】
また、複数の机を組み合わせた机システムも開発されており、その１つとして本願出願人は、特許文献２において、人が作業位置と姿勢とを変えて使用することにより、左脳的作業と右脳的作業と中間的作業との各々に適した環境を選択できる机システムを提案した。
【０００５】
すなわちこの机システムは、左脳的作業を行う天板と右脳的作業を行う天板と中間的作業を行う天板との３枚の天板を備え、かつ、各天板の背後にそれぞれ背面パネルを配置してなるものにおいて、各背面パネルの色彩や材質、質感、形状等の視覚的に把握できる要素を作業内容に適したものに選択したものである。
【特許文献１】特開平５−３２９０２５号公報
【特許文献２】特開２００３−８２８７１号公報
【発明の開示】
【発明が解決しようとする課題】
【０００６】
ところで、机に対するユーザーの要求は好みや設置場所の問題等によって様々であり、例えば、２つの机を左右る並設して使用したいという要請や、平面視Ｌ形の形態が欲しいという要請がある。しかし、従来におけるＬ形（或いはコ字形）の天板を有する机（及び机装置）は、机の形態は不変であり、ユーザーが机の平面形態を変えるということは不可能である。
【０００７】
他方、特許文献２は机装置の平面形態を変えることはできるが、補助机は主机から取り外すと自立不能であるため独立して使用することはできず、このため、ユーザーの多様な要請に応え得るとは言い難い。
【０００８】
これらの点に関する対処方法として、平面視長方形の机を複数用意して、横長の一列状に並設したり、一方の机の前面に他方の机の側端部を当接させて平面視Ｌ字（或いはコ字状）に配置したり、更に、互いに離して配置したりというように、レイアウトをユーザーの選択に委ねることが考えられる。しかし、この場合は、Ｌ字状やコ字状に配置したときに脚が使用者の邪魔になるという問題が出てくる。
【０００９】
つまり、机は天板を支持する脚を備えており、この脚の１つの形態として、天板の後部寄りに位置して上下に延びる支柱部の下端から水平杆が手前に延びている側面視Ｌ形の「Ｌ脚」と呼ばれる形態のものがあり、机を平面視Ｌ字状やコ字状に配置する机の場合、着座状態（特に移動時）に人の足と干渉しないように脚はこのＬ脚を採用することになるが、机を平面視Ｌ字状に配置すると、両机の当接部の箇所に位置した脚の水平杆が支柱部から手前に長く延びることになるため、この水平杆が邪魔になるのである。
【００１０】
本願発明は、レイアウト選択の自由性の高い机ユニットでありながら使い勝手のよいユーザーフレンドリーな机及び机ユニットを提供することを課題とするものである。
【課題を解決するための手段】
【００１１】
請求項１の発明は机システムに係るもので、この机システムは、基本構成として、  天板の一側端部と他側端部とをそれぞれ脚で支持して成る少なくとも２つの机を有しており、これら２つの机は、独立して使用することと、一方の机における天板の前端面に他方の机における天板の一側端部を当てた平面視Ｌ形又はＴ形の姿勢に配置した使用とが選択可能となっており、平面視Ｌ形又はＴ形に配置した使用においては両机の天板が連結具で連結されるようになっている。
【００１２】
そして、前記他方の机における左右脚のうち天板の一側端部を支持する一方の脚は、天板の後部寄りに位置して上下に延びる支柱部を備えており、この支柱部の下端面に、当該支柱部の前面から手前側に長く延びる長い長さの水平杆と、支柱部の前後幅と同じ程度の前後長さか支柱部からの前向き突出寸法が小さい短い長さの水平杆とが選択してボルトで締結可能になっている。
【００１３】
請求項２の発明は、請求項１において、前記連結具は長さの長い水平杆が兼用しており、他方の机における一方の脚の支柱部に短い水平杆を締結して両机を平面視Ｌ形又はＴ形に配置した状態で、長い水平杆は両机の天板の下面に跨がるように配置して両天板にボルトで固定されることが可能になっている。
【００１４】
請求項３の発明は、天板の一側端部と他側端部とをそれぞれ脚で支持して成る少なくとも２つの机を有しており、これら２つの机は、独立して使用することと、一方の机と他方の机との天板同士を連結して使用することとが選択可能となっている机システムに関し、この机システムにおいて、前記両机の各脚のうち少なくとも１つの脚は、上下に延びる支柱部の下端面に、当該支柱部の前面から手前側に長く延びる長い長さの水平杆と、支柱部の前後幅と同じ程度の前後長さか支柱部からの前向き突出寸法が小さい短い長さの水平杆とが選択してボルトで締結可能になっており、支柱部の下面に固定していない水平杆で天板同士を連結することが可能になっている。
【００１５】
本願発明は、請求項２又は３に記載した机システムを構成する単体の机も備えており、この机は、長い長さの水平杆を支柱部に締結した状態で短い長さの水平杆は、天板その他机を構成する部材に取付けられている。この請求項４において、短い水平杆は、天板の下面や幕板の内面（前面）、或いは脚の内側面のように、机の使用や梱包において邪魔にならない部分に取付けるのが好ましい。
【発明の効果】
【００１６】
請求項１の発明によると、２つの机を平面視Ｌ形又はＴ形に配置して使用するにおいては、両机の当接部に位置した脚の水平杆として短いものを使用することにより、脚が使用者の邪魔になることを回避して使い勝手の良さを確保でき、また、両机の天板は連結具で連結されているため、他方の机の天板の安定性を確保できる。また、他方の机は、独立して使用する場合は左右脚とも長い長さの水平杆を使用することにり、安定性を保持できる。
【００１７】
従って請求項１の発明によると、２つの机をＬ字形又はＴ形に配置したり左右に配置したり分離して配置したりというレイアウト選択の自由性を損なうことなく、Ｌ字形やＴ形に配置した状態での使い勝手の良さと安定性とを確保できるのである。
【００１８】
連結具には専用の部材を設けることも可能であるが、請求項２及び請求項４のように構成すると、水平杆を連結具に兼用できるため部材点数を抑制してコストを抑制できる利点がある。また、請求項４のように構成すると、他方の机を単体で使用するにおいて長さの短い水平杆の紛失を防止できる利点もある。
【００１９】
２つの机を左右に並設して天板同士を連結したい場合があるが、請求項３のように構成すると、このように天板同士を連結するにおいて連結具として脚の水平杆を兼用できるため、請求項２，４と同様に、レイアウトの自由性を損なうことなく部材点数を抑制できる利点がある。なお、請求項３の発明においても、机同士を平面視Ｌ形やＴ形に配置して天板同士を水平杆で連結することは可能である。
【発明を実施するための最良の形態】
【００２０】
次に、本願発明の実施形態を図面に基づいて説明する。
【００２１】
(1).第１実施形態の概要
図１〜図６では第１実施形態を示しており、このうち図１は全体の概略斜視図、図２は全体の平面図、図３は全体の正面図である。まず、これらの図に基づいて机システムの概要を説明する。本実施形態の机システムは、主として児童・生徒が使用するものを想定して設計されている（勿論、大人が使用することも可能である）。
【００２２】
本実施形態の机システムは、計算のような左脳的作業に適している第１机１（一方の机）と、プラモデルの組立や工作作業のような右脳的作業に適している第３机３と、パソコンＰの操作のように左脳的作業と右脳的作業との中間的作業に適している第２机２（他方の机）とを備えている。各机１，２，３はそれぞれ天板４，５，６を備えており、第１机１と第２机２とは平面視でＬ字状に配置されている。
【００２３】
従って、机システム全体としては平面視でコ字状の姿勢を成しており、各机で囲われた空間にキャスター付き椅子Ｃが配置されている。使用者は、その姿勢と位置とを変えることにより、各机１，２，３を任意に使用することができる。
【００２４】
以下の説明では、便宜的に、第１机１の天板４を第１天板４と、第２机２の天板５を第２天板５と、第３机３の天板６を第３天板６と称する。また、本明細書で便宜上「左・右・前・後」の文言を使用するが、これらの文言は、天板と対峙した姿勢（使用状態）の使用者を基準にしたものである（従って、第１机１と第３机３とでは左右は逆になる。）。
【００２５】
なお、机システムに袖抽斗（ワゴン）を併設する場合、いずれかの天板４，５，６の下方に配置するか、第１机１又は第３机３の外側に配置したら良い。
【００２６】
第１天板４及び第３天板６は左右横長の平面視長方形であり、他方、第２天板５は横長長方形に近い形態ながら前端面は平面視で前向き突状に緩く湾曲した形態になっている。第２天板５の右側端部（一側端部）は第１天板４の前面に当接しており、かつ、第１天板４の左側面と第２天板５の背面とは直線状に延びている。
【００２７】
本実施形態では、第１天板４と第２天板５と共に木製板の表面にメラミン樹脂層を貼着した構造であり、例えば、白や淡い灰色のように無彩色でかつ明度の高い落ち着いた色を採用している。他方、第３天板６は木製板で木目が表れたままになっている。各天板４，５，６は複数段に高さ調節できるが（詳細は後述する）、各天板４，５，６を最上段に位置させた状態で、第１天板４と第２天板５とは同じ高さとなり、第３天板６は第１天板４及び第２天板５よりも低い高さになるように設定している。このため、第３天板６を第２天板５（及び第１天板４）の下方に押し込むことができる。
【００２８】
各天板４，５，６の左右両側部は脚７で支持されている。各脚７は、木目が表れている板状の支柱部８と、その下端面にボルト９で締結された金属製の水平杆１０とを備えている。図２から理解できるように、第２机２における右脚７の水平杆１０は支柱部８の前後幅寸法とほぼ同じ短い長さになっており、他の脚７における水平杆１０は支柱部８から手前に大きく延びる長い長さになっている。
【００２９】
水平杆１０が支柱部８から手前に長く延びているのは机の安定を確保するためであり、他方、第２机２における右脚７の水平杆１０が短いのは、着座状態の使用者の足と干渉することを回避するためである（特に、第１机１と第２机２とを使い変えるに際して移動したり姿勢を変えたりする場合の干渉を回避するためである）。
【００３０】
第２机２の右脚７の水平杆１０を短くしたことに起因した第２机２の安定性低下を回避するため、第１天板４と第２天板５とは、両者の下面に跨がって延びる連結具１１にて連結している（詳細は後述する。）。
【００３１】
第３机３の水平杆１０にはそれぞれ前後一対ずつのキャスター１２を設けている。このため第３机３は使用者が押し引きすることで位置・姿勢を簡単に変えることができる。キャスター１２が床に接地した状態で、第３机３の水平杆１０は第２机２（及び第１机１）の水平杆１０よりも高い高さになるように設定している。このため、第３机３は第２机２の内部空間に部分的に入り込ませることができる。
【００３２】
各支柱部８の前後幅寸法は天板４，５，６の前後幅の略半分程度の寸法であり、各天板４，５，６の後半部に支柱部８が嵌まり込む外向き開口の切り開き部１３を形成し、このため、支柱部８の外面と天板４，５，６の左右端面とは同一面を成している。支柱部８と天板４，５，６の背面とは同一面を成している。
【００３３】
各机１，２，３は天板４，５，６の背面部に固定されたメイン仕切体（背面パネル）１４，１５，１６を備えている。第１机１と第２机２のメイン仕切体１４，１５は天板４，５の横幅の略全長にわたって延びており、かつ、天板４，５よりも下方にも延びている。他方、第３机３のメイン仕切体１６は天板６の下方に位置した部分は第３天板６と同じ長さであるが、天板６から上方に露出した部分は左側に偏っており、従って、第３机３では、机上空間のうち右側の相当の部分が開放されている。第３机３のメイン仕切体１６は、木目が露出した木板製である。
【００３４】
第２天板５の右端面を第１机天板４の前端面に当てているため、第１机１と第２机２のメイン仕切体１４，１５の間には、第１机１の天板４の幅寸法の間隔の空間が空いている。そして、この空間の全部又は大部分を仕切るサブ仕切体１７が第１机１のメイン仕切体１４に取付けられている。
【００３５】
各メイン仕切体１３，１４，１５には、オプション品としての棚１８やハンガー１９類を着脱自在に吊懸けることができる。各天板４，５，６の背面部の左右中間部には電源等のケーブルを引き出すための切欠き２０を形成しており、この切欠き２０を利用して、クランプ固定式の灯具２１を取付けることができるようになっている。
【００３６】
(2).天板と脚とメイン仕切体
次に、図４も参照して天板４，５，６と脚７との固定構造を説明する。図４は第１天板４と脚７との関係を示す分離斜視図である。
【００３７】
図４から理解できるように、支柱部８と第１天板４とは木製でブロック状の補強材（ブラケット）２３を介して固定されている。補強材２３は支柱部８と略同じ程度の前後長さであり、ダボピン２４及びビス２５によって第１天板４の左右側部の下面に離反不能に固定されており、補強材２３は、支柱部８に外側から貫通した前後２本のビス２６により、支柱部８に締結されている。
【００３８】
この場合、支柱部８にはビス２６の取付け穴２７の対が適宜間隔で複数段（図では６段）形成されている一方、補強材２３には、ビス２６がねじ込まれる鬼目ナット２８とピン穴２９との対を上下に隔てて設けている。鬼目ナット２８とピン穴２９′との上下間隔は取付け穴２６の間隔と同じであり、ピン穴２９′と取付け穴２６とに位置決めピン２９を挿入している。
【００３９】
第２天板５と脚７との固定構造は第１机１と全く同じである。第３天板６と脚７との固定構造も基本的に歯第１机１と同じであるが、第３机３では例えば工作に際してより大きな荷重が掛かることがあり得るので、補強材２３は第３天板６の前端近傍まで延びており、かつ、位置決めピンを上下２本ずつ設けている。なお、各補強材２３は金属製としても良い。
【００４０】
第１机１及び第２机２のメイン仕切体１４，１５は、角形鋼管で正面視四角形に形成したフレーム３０に布製等の表皮材３１を巻いた構造になっており、フレーム３０をビス３２で支柱部８の背面に高さ調節可能に締結している。図示していないが、表皮材３１はファスナーによって筒状に保持されており、ファスナーを開閉させることによってフレーム３０に簡単に着脱できる。
【００４１】
第１机１におけるメイン仕切体１４の表皮材３１は、例えば、グリーンやブルーのような寒色系の有彩色を採用している。これは、左右的作業に適した視覚環境を実現するためである。他方、第２机２におけるメイン仕切体１５の表皮材３１は、例えば白又は薄い灰色のような無彩色で明度の高い色を採用している。
【００４２】
サブ仕切体１７は、横長のハンガー（バー）３３に布製の仕切幕３４を吊懸けた形態であり、ハンガー３３の基端にはブラケットを介してフレーム３０にビスで締結されている。仕切幕３４は第１メイン仕切体１４の表皮材３１と同色・同素材である。第１天板４と第２天板５とは共に白系統（薄い鼠色）の無彩色としている。
【００４３】
(2).机の連結
次に、図５及び図６も参照して第１天板４と第２天板５との連結構造を説明する。図５は図２の V-V視断面図、図６のうち（Ａ）は第２机２を単体で使用する場合の斜視図、（Ｂ）は（Ａ）のＢ−Ｂ視断面図、（Ｃ）は（Ａ）のＣ−Ｃ視断面図である。
【００４４】
既述のとおり、第１天板４と第２天板５とは連結具１１で連結されているが、本実施形態では、連結具１１として、第２机２を単体で使用する場合における脚７の水平杆１０を使用している。
【００４５】
すなわち、図６（Ａ）に示すように、第２机２を単体で使用する場合は左右の脚７とも長さの長い水平杆１０を使用するのであり、このため、第２机２の右脚７は長さの長い水平杆１０と短い水平杆１０との２種類を用意しており、第１机１と第２机２とを平面視Ｌ字状に配置する場合は、長さの長い水平杆１０を利用して両天板４，５を連結している。
【００４６】
水平杆１０は横長偏平状の断面小判形に形成されており、支柱部８に固定するための前後２個（３個以上でも良い）のボルト穴３６が空いており、ボルト９の頭は中空部内に隠れている。支柱部７にはボルト９がねじ込まれる鬼目ナット３５を埋設している。そして、第１天板４と第２天板５とに、両者を突き合わせるとボルト穴３６の間隔Ｌと同じ間隔で鬼目ナット３７を埋設することにより、水平杆１０を両天板４，５の下面にボルト３８で締結している。
【００４７】
第２机２を単体（非連結状態）で使用する場合は、短い長さの水平杆１０は第２天板２の下面に固定している。このため、第２天板５には２個の鬼目ナット３７を埋設している。鬼目ナット３７はねじ穴の一例であり、木ねじで固定することも可能である。
【００４８】
連結具１１として専用の部材を使用することも可能であるが、本実施形態のように水平杆１０を利用すると、もともと脚７の構成部材として必要なものを兼用できるため、部材点数の増加を抑制できる利点がある。水平杆１０と専用部材との複数の連結具で連結することも可能である。
【００４９】
(3).他の実施形態（図７〜図８）
図７及び図８では他の実施形態を示している。図７（Ａ）に示す第２実施形態では、支柱部８の前後幅寸法は天板３９の前後幅寸法の１／３程度の寸法であり、短い長さの水平杆１０は、支柱部８の手前側に延びている。このことから分かるように、短い長さの水平杆１０は、使用者が着座状態で作業や移動を行うに際して邪魔にならない長さであれば足り、必ずしも支柱部８の前後幅寸法と同じ長さである必要はない。
【００５０】
図７（Ｂ）に示す第３実施形態ては、支柱部８は前後主杆７ａとその下端を繋ぐ横杆７ｂとでフレーム状に形成されている。このように、支柱部８の形態・構造は必要に応じて設定できるのである。
【００５１】
図８では２つの机１，２を平面視Ｔ字状に連結して使用できるようになっている第３実施形態を示している。（Ａ）は平面図、（Ｂ）は（Ａ）のＢ−Ｂ視断面図である。
【００５２】
この実施形態の机システムは、長さが長くて細巾状の第１机１と、幅広で短い第２机２とで構成されており、第２机２の支柱部８は天板５の前後中間部に配置されており、長さの長い水平杆１０は支柱部８の前後両側に延びている。短い長さの水平杆１０は支柱部８の前後幅と同じに設定している。また、両天板４，５には机上空間を２つに仕切る机上パネル３９が配置されており、２名の人が机上パネル４２を挟んだ両側で使用することになる。
【００５３】
この実施形態から容易に推測できるが、３つの机を平面視Ｈ形に配置することも可能であるが、この場合は、Ｔ形の連結が左右対称状に２つ存在することになる。
【００５４】
(4).その他
図示していないが、本願発明では、２つの天板を左右に配置して天板同士を当接させた状態で連結することも可能である。この場合、一般に、左右の机とも水平杆は長さの長いものを支柱部に固定して、短い長さの水平杆で天板を連結することになる。
【００５５】
また、天板の形態や脚の形態などは、デザイン上の必要性等に応じて自由に設計変更が可能である。また、メイン仕切体やサブ仕切体がなくても良いことはいうまでもない。３つの机を平面視コ字形に配置する場合は、中央に位置した机における左右脚の水平杆をそれぞれ長短２本用意しておいたら良い。
【図面の簡単な説明】
【００５６】
【図１】第１実施形態を示す図で、 (A)は全体の概略斜視図、 (B)は部分的な平面図である。
【図２】全体の平面図である。
【図３】全体の正面図である。
【図４】天板と脚との関係を示す分離斜視図である。
【図５】図２の V-V視断面図である。
【図６】(A)は第２机を単体で使用する場合の斜視図、 (B)は相の B-B視断面図、 (C)は (A)の C-C視断面図である。
【図７】第２実施形態及び第３実施形態の側面図である。
【図８】第４実施形態を示す図で、 (A)は平面図、 (B)は (A)の B-B視断面図である。
【符号の説明】
【００５７】
１  第１机（一方の机）
２  第２机（他方の机）
３  第３机
４，５，６  天板
７  脚
８  支柱部
９  ボルト
１０  水平杆
【図１】
2006095060.tif 000003
【図２】
2006095060.tif 000004
【図３】
2006095060.tif 000005
【図４】
2006095060.tif 000006
【図５】
2006095060.tif 000007
【図６】
2006095060.tif 000008
【図７】
2006095060.tif 000009
【図８】
2006095060.tif 000010